(57)【要約】【課題】  本発明は、ぶれないで遠方まで投擲できる魚釣り用浮きを提供することを課題とする。【解決手段】外周先端をなで肩状にし、下部に餌カゴ部と道糸装着部を付設した浮き本体の中心部に上下方向に開口する縦孔を貫通させると共に、該縦孔の上方部を小径孔にし、下方部を大径孔にした段付きの二段構造にし、該大径孔の段付き部近傍に該大径孔から浮き本体の外周部に開口する水流バランス孔を円周方向に等間隙を保って複数個穿孔すると共に、前記段付き部近傍の小径孔に餌止め具を配置して、撒き餌を餌カゴ部と浮き本体の大径孔部に充填可能に構成して、撒き餌を詰めて遠方まで投擲できる魚釣り用浮き。【選択図】  図２
2005198577.tif 000002
【特許請求の範囲】
【請求項１】
外周先端をなで肩状にし、下部に餌カゴ部と道糸装着部を付設した浮き本体の中心部に上下方向に開口する縦孔を貫通させると共に、該縦孔の上方部を小径孔にし、下方部を大径孔にした段付きの二段構造にし、該大径孔の段付き部近傍に該大径孔から浮き本体の外周部に開口する水流バランス孔を円周方向に等間隙を保って複数個穿孔すると共に、前記段付き部近傍の小径孔に餌止め具を配置して、撒き餌を餌カゴ部と浮き本体の大径孔部に充填可能に構成したことを特徴とする魚釣り用浮き。
【請求項２】
浮き本体部の外周に穿孔を施し、その穴に柔軟性のあるビニール、ナイロン糸等を挿入し接着剤等で固定して鈎を掛ける部材を装着したことを特徴とする請求項１記載の魚釣り用浮き。
【請求項３】
浮き本体下部の環状部に餌カゴの上部を嵌合して取り付けし、留め具を打ち込んで餌カゴを固定するのに、該留め具を錆を誘引する金属線で構成したことを特徴とする請求項１記載の魚釣り用浮き。
【請求項４】
撒き餌の餌止め部材にステンレス鋼線を使用したことを特徴とする請求項１記載の魚釣り用浮き。
【請求項５】
浮き本体外周に、太陽光線の照度の変化または波のある場合でも、水面にある浮きの存在を確認できる複数の色を塗布したことを特徴とする請求項１記載の魚釣り用浮き。
【請求項６】
バランス羽根を付設するのに、フィン状の金属片を浮き本体カゴ部の複数本の鋼線に、複数個取り付け接着剤等で固定したことを特徴とする請求項１記載の魚釣り用浮き。
【請求項７】
バランス羽根を付設するのに、浮き本体部または該浮きカゴ部に着脱ができるゴム素材等の取り付けベルトに該バランス羽根を装着したことを特徴とする請求項１記載の魚釣り用浮き。
【請求項８】
浮き本体の縦孔上部に軟質素材のビニール及びシリコン等のチューブとステンレス鋼線または金属鋼線を組み合わせた構造あるいは素材を金属線とした構造の着脱自在の揺動自在型浮き視認用化学発光体取り付け具を餌止め具に差込み係合装着したことを特徴とする請求項１記載の魚釣り用浮き。
【発明の詳細な説明】
【技術分野】
【０００１】
この発明は、魚釣り用浮きに関し特に遠投に適する反転式のタルカゴ浮きに関するものである。
【背景技術】
【０００２】
磯釣りでは、魚を釣るポイントが釣り人の位置から離れていることが多い。このような場合はその目指すポイントに撒き餌と刺し餌を遠投し、回収はリール等によって巻き取らなければならない。例えば、先行技術として本特許出願人が特許文献１に示すように餌カゴ２を装着した浮き本体１の中心部に縦孔イを貫通させ、複数個の水流バランス孔ニを円周方向に等間隙を保って穿孔したものを提案している。また、浮き部本体の下部に餌カゴを装着したものは特許文献２の例も示されているが、この特許文献２のものは浮きの視認性に劣り、巻き取り時の水抵抗が多いなどの課題を有しており本特許出願人がこれを解決すべく特許文献1を創案した経過があるものである。
【特許文献１】実用新案登録第３０７４２１１号公報
【特許文献２】特開平８−１６３９４０号公報
【発明の開示】
【発明が解決しようとする課題】
【０００３】
上記特許文献１のものは、浮き本体１の自重に撒き餌の重量を加えて、飛翔時に浮きの重量を増加することで狙ったポイントへの遠投を可能とし、着水した水中においては水流バランス孔ニの配設により水面への浮き姿勢が安定する。しかも、巻き取りの際には水の抵抗が少なくて魚の取り込みを良好に処理することができ、結果として釣果が上がるというユーザーから好評の声を得ているが、遠投した際の飛翔時において浮き本体１が若干ぶれながら飛んでいくことがあるとの指摘もあり、更なる飛翔姿勢の安定を求めた改善を望まれていた。
【０００４】
そこで、この発明は飛翔姿勢を安定させることにより、よく飛び、しかも水中における姿勢も更に安定した釣り用浮きを提供することを課題とし、この点に着目して本特許出願人において上記特許文献１のものを検証してみるに、飛翔時の撒き餌の詰め込みは餌カゴ２部分のみであった為に、浮き本体１の重心が先頭部に近づかずに飛翔時において浮き本体１が若干ぶれて飛んでいることが判明した。
それが故にこの発明は第一に、浮き本体の重心が飛翔中は浮きの先頭部に近づくようにして、着水後の水中では重心が浮きの中間側に移動することで、飛翔姿勢を安定して飛翔距離を伸ばし、水中姿勢も更に安定させて僅かなアタリも視認し易くできる釣り用浮きを提供することを課題とする。
【０００５】
また、魚の種類によって生息する水深が違うためハリスの長さを調節する必要がある。たとえば、水深の深い棚の魚を釣る場合にはハリスを長くしなければならない。その際、磯からポイントを狙って投擲姿勢に入ったとき釣り鈎が地面に当たり刺し餌が抜け落ちる場合があったり、周辺の岩等に釣り鈎が引っかかるなど不測の事態が起きることもあるのでスムーズな投擲ができる改善が望まれた。
それが故にこの発明は第二に、磯からポイントを狙って投擲をする際にスムーズな投擲ができる釣り用浮きを提供することを課題とする。
【０００６】
さらに、撒き餌を入れるカゴを浮き本体に取り付けるのに、カゴを固定する留め具としてステンレス製釘を使用している場合が多く見られるが、複数回使用しているうちにステンレス製釘の打ち込みが緩んでガタが発生してくる恐れがあり，ひいては不測にカゴが外れてしまうこともあった。
それが故にこの発明は第三に、複数回使用してもカゴが外れない釣り用浮きを提供することを課題とする。
【０００７】
上記特許文献1では明示を省略されているが、本特許出願人が実際に作成したものはカゴ部に撒き餌を充填する場合、浮き本体下部とカゴ部上部の境界付近にナイロン製の糸を複数本交差状に張設した餌止めを採用しているが、複数回使用しているうちに糸の劣化疲労が進んで損傷して切れることもあった。
それが故にこの発明は第四に、複数回使用しても損傷しにくい餌止め具を装着した釣り用浮きを提供することを課題とする。
【０００８】
第五に、遠投に適する反転カゴ浮きは、該浮きが釣り人から遠くの距離にあることが多く、太陽光線の照度等で見づらくなることもあり視認度の改善が望まれており、この視認度の向上を図ることを課題とする。
【０００９】
第六に、浮きが投擲される時の飛翔姿勢の安定を更に図る方法の一つとして、該浮きに固定式および着脱自在式のバランス羽根を取り付けて、飛翔姿勢の安定を図ることを課題とする。
【００１０】
第七に、夜間の釣においては、浮きが視認できないため浮き視認用化学発光体を簡単に浮きに装着することが要求されており、その取付構造をより簡単にして着脱操作性と便利さの向上を図ることを課題とする。
【００１１】
第八に、磯つりでは釣り人と魚を釣るポイントが離れていることが多いので、日中の釣りでは太陽光線の照度および波の立ち具合等で浮きが視認しずらいことがあり、更なる改善が求められており、茲にも解決課題を有するものである。
【課題を解決するための手段】
【００１２】
本発明は、前述の課題解決のために、
第一に、浮き本体の縦孔を大きさの違う二段構造にして、浮きの自重に浮き本体内部まで詰めた撒き餌の重量が加わり飛翔中は重心が浮き上端側に位置し、着水後は撒き餌が水流により流出してステンレスかごが錘の役目となって重心が浮き下部に移動する。重心の移動で投擲距離を伸ばし、水中姿勢の安定も図られ浮き本来のアタリを感知する機能を高めることが出来る。
【００１３】
第二に、浮き本体部の外周に穿孔を施し、その穴に柔軟性のあるビニール、ナイロン糸等を挿入し接着剤等で固定して鈎を掛ける部材を装着することで、投擲時の刺し餌が鉤から抜け落ちることや、岩等への鈎掛かりという不測の事態がなくスムーズな投擲ができるようにした。
【００１４】
第三に、浮き本体にカゴを取り付け固定する留め具に錆を誘引する金属線を使用することで、浮き本体木材部と金属線の錆による摩擦の働きで、複数回使用してもカゴが外れない構造とした。
【００１５】
第四に、撒き餌の餌止め部材にステンレス鋼線を使用することで、複数回使用しても餌止め部材が切れない構造とした。
【００１６】
第五に、太陽光線の照度の変化または波のある場合でも、水面にある浮きの存在を確認できる複数の色を塗布する。
【００１７】
第六に、バランス羽根はフィン状の金属片を浮き本体カゴ部の複数本の鋼線に、複数個取り付け接着剤等で固定する。また、浮き本体部または該浮きカゴ部に着脱ができるゴム素材等の取り付けベルトに該バランス羽根を装着する。
【００１８】
第七に、軟質素材のビニール及びシリコン等のチューブとステンレス鋼線または金属鋼線を組み合わせた構造あるいは素材を金属線とした構造の着脱自在の揺動自在型浮き視認用化学発光体取り付け具を餌止め具に浮き本体の縦孔上部より差込み係合する。
【発明の効果】
【００１９】
請求項１の発明によれば、飛翔時には重心を浮き先頭部に近づくようにすることで飛翔距離を伸ばし、着水後は撒き餌の放出と金属製カゴ部が錘の役目をすることで重心が浮き下部に移動し、併せて貫通縦孔を二段構造とすることで水貯留体積の大きさを変えることで水中姿勢が安定し僅かなアタリも視認し易くなり、誰でも満足のいく釣果が得られるようになる。
また、請求項２の発明により、不測の事態を起こすことなくスムーズな投擲ができるようになる。
【００２０】
請求項３の発明によれば、錆の力で摩擦力を高めることでカゴ部が外れることがなくなる。そして、請求項４の発明により、餌止め具が不測に損傷することがなくなり釣りに集中することができる。
【００２１】
請求項５の発明によれば、浮きの視認度が向上し、僅かなアタリも判るのでその結果釣果が上がる。
【００２２】
請求項６の発明によれば、初心者でも、誰でも投擲のコントロールが向上し狙ったポイントをより的確に捉えることができるようになる。また、請求項７の発明によりバランス羽根が付いていない特許文献１および請求項１に記載の浮きにも装着することができる。
【００２３】
請求項８の発明により、夜間の釣りにおいて浮き視認用化学発光体を容易に着脱することができ、その結果アタリを視認でき釣果が上がる。    
【発明を実施するための最良の形態】
【００２４】
以下、この発明の実施形態を添付の図面に基づいて説明する。図1から図４に示した弾丸状態様の釣り用浮きＭは、浮力を有する木製の浮き本体１の中心部の縦孔２を上方部が小径孔２Ａに、下方部が大径孔２Ｂとした段付き２Ｃの二段構造に形成されている。この二段構造により釣り用浮きＭが、浮き本体１内部の水流バランス用横孔３から喫水線Ｈまでの水貯留体積イより、水流バランス横孔３から浮き本体１下部の水貯留体積ロが大きくなる二段構造とした。
【００２５】
そして、図３に図示する水貯留体積部分ロに餌止め具４の取り付けにより撒き餌を浮き本体１の内部まで深く充填できる構造とした。該餌止め具４は、ステンレス鋼線を複数本使用し，該鋼線を浮き本体１の縦孔２内部の木面に結合し接着剤等で固定する。尚、餌止め具４を止めるにあたり縦孔２の中心を通る透視孔を貫通させ、該透視孔に餌止め具４を差し込んで透視孔の外側を目つぶしするようにして密閉すると取り付け設定が容易にできる。
【００２６】
鈎掛け５は、浮き本体１の外周下部位置に上下方向に沿って斜めに穿穴をし、その穴に弾力性のある糸状のものを挿入し接着剤等で固定する。また、鈎掛け５の糸の素材は柔軟性のあるナイロン製、ビニール製等を選択することができる。
【００２７】
カゴ留め具６は、浮き本体１木材部とステンレス製のカゴ部７を結合固定させるため鉄釘等の錆を誘引するＵ字型金属線を使用し、浮き本体１下部の環状部Ｒに嵌合するカゴ部７の鋼線部材複数本の一部を抑えて複数箇所を浮き本体１に釘留めする。これにより釣り用浮きＭを使用しているうちに海水の影響等を受けてカゴ留め具６に錆びが発生して、この錆びによりカゴ留め具６が環状部にしっかりと固定されて緩んだり抜けたりするのを防止できる。尚、カゴ留め具６を釘打ち前に予め塩分を含んだ水、または酢液に浸し錆を出しやすくする工程処理をしておくと、出荷時若しくは店頭販売時に錆が出て、磯釣り使用時の当初から錆でしっかりとした固定を維持される利点がある。
【００２８】
上記の浮きカゴ部７の下端部に中央部を輪状にしたステンレス鋼線で首振り自在の取っ手８を係合し、該取っ手８に設けたリング９に撚り戻し具１０を介して道糸１１を通す  構造にした。
【００２９】
浮き本体１外周の木部全面には、太陽光線の照度変化に対応して浮き本体１が視認できる使い分けができるよう配慮して、それぞれ赤色系または黄色系、緑色系の塗料を複数回塗布し、上塗り溶剤を重ね塗りした。
【００３０】
図６、図７は他の実施態様を示すもので、バランス羽根１２は、フィン状の金属片を該浮きカゴ部７のステンレス鋼線に適宜手段で固定する。また、バランス羽根１２の素材はゴム、ナイロンおよびビニール等を選択することもできる。
【００３１】
また、図８〜図１４は更に他の実施態様を示すもので、ゴム製バランス羽根取り付けベルト１３に穿設した細孔にバランス羽根１２複数個を、等間隔で差し止め、浮き本体部またはカゴ部にマジックテープ等の適宜手段で着脱できる方法も選択できる。また、該ベルト１３の素材は、ナイロン、ビニール等を、金属フィンの素材はゴム、ナイロンおよびビニール等を選択することができる。
【００３２】
図１５は浮き視認用化学発光体２０取り付けの実施態様を示し、軟質素材のビニール中空チューブ２１の中央部分にタコ足状にステンレス製針金２２を通して上方に曲げ、チューブ２１の上部孔２１Ａに化学発光体を差し込んだ状態で浮き本体１の縦孔２に挿入して取り付ける。
【００３３】
図１６は更に別の実施態様を示し、図１６に図示される浮き視認用化学発光体２０取り付けフォルダーＦは、軟質素材のビニール中空チューブ２１の片端に孔を開け、該孔に両端を鈎状に曲げたＵ字状ステンレス鋼線２３の片方を通し浮き本体１の縦孔２に固定する。また、チューブ２１の材質は軟質素材のシリコンチューブにしてもよく，鋼線２３の素材は金属鋼線を選択することもできる。また、鋼線２３の係合部側の形状は交差したリング状にも変更構成してもよい。
【００３４】
図１７は更に別の実施態様を示し、図１７に図示される浮き視認用化学発光体２０取り付けフォルダー３０は、軟質素材のビニール中空チューブ３１の上端の孔に化学発光体２０を差し込み、中空チューブ３１の下端を潰して孔３２を開け、該孔３２に首振り自在にフック３３を取り付け、該フック３３の下端係止部３４を餌止め具４に掛止めして浮き本体１の縦孔２内に揺動自在に固定する。従って、化学発光体２０は不使用時に引っ掛かり部がなくて保管収納が楽であり、使用時には化学発光体２０の取り付けが簡便であると共に化学発光体２０が夜間釣り時に図中の矢印方向に揺動可能であり更に視認性を良くする利点がある。
【００３５】
図１８はまた更に別の実施態様を示し、図１８に図示される浮き視認用化学発光体２０取り付けフォルダー３６は、金属線の上部側を円筒に複数回巻きスプリング状にし、
なお該金属線の下部側を上方に向けて円状に折り曲げて交差させる等の適宜な方法により餌止め具への係合部を構成する。
【実施例】
【００３６】
従って、図５に示すように、釣り竿Ｔを振って釣り用浮きＭを投擲する時に刺し餌を付けた鈎３５を鈎掛け５に掛けることでスムーズな投擲ができるようになった。そして、浮きＭの自重に撒き餌の重量が加わることで前記特許文献１のものも大きな遠心力で遠投は可能であったが、本発明では浮きＭを、さらに浮き本体１内部まで撒き餌を充填することが可能に構成したことで、飛翔中の該浮きの重心が浮き上端側に来て、飛翔中のブレをなくすことで飛翔姿勢が安定し飛翔距離を伸ばすことが可能となった。
【００３７】
そして、着水時に貫通縦孔２と水流バランス横孔３から流れ込む水で該浮き本体１内及びカゴ７内に充填した撒き餌を放出することで従来よりも多量の撒き餌ができる利点がある。浮きＭは撒き餌を放出した状態で水面ではカゴ部７が錘となり重心が浮き本体１下方部に移動し、さらに図３に示す水貯留体積イと水貯留体積ロの大きさを変えることで水中姿勢が安定し浮き本来のアタリ感知機能が良好となり釣果が上がった。
【００３８】
バランス水流横孔３を縦孔２内部の二段構造の境界線相当位置の段付き２Ｃに開口して水流の流れをスムーズにすることで、浮きの巻き取りのときに水の抵抗を少なくすることを可能にした。
（他の実施例１）
【００３９】
さらに、図６、図７で示すように、飛翔中の姿勢を安定するためと、水面で風と潮の流れを受けた場合姿勢を安定するためにフィン状のバランス羽根を適宜な手段で取り付けた。
（更に他の実施例２）    
【００４０】
図９〜図１４に示すように前記バランス羽根を着脱自在の取り付けベルトに装着して、マジックテープ等で浮き本体部またはカゴ部に取り付けることも選択できる。
（更に他の実施例３）
【００４１】
加えて、太陽光線の照度の変化による浮きの視認度は、照度が高い場合は赤色系または緑色系、低い場合は黄色系を使用することで向上する。釣り用の浮きで黄色系にしたものは実在した例があまりなく、本特許出願人が試してみるに曇天時などの照度が低い時に使用すると視認効果が高いことが確認できて釣果向上に寄与できるものである。
（さらに他の実施例４）
【００４２】
図１５〜図１８に示すように夜間の釣りにおいて、浮きの存在が確認できる視認用化学発光体を前記浮きに係合するフォルダー取り付け具を餌止め部に取り付けることも選択できる。
【図面の簡単な説明】
【００４３】
【図１】本発明に係る魚釣り用浮きが水面に浮上している水中姿勢を示す側面図である。
【図２】同上要部の浮き本体を断面して示す側面図である。
【図３】浮き本体を示す断面して示す側面図である。
【図４】浮き本体の底面図である。
【図５】魚釣り用浮きの投擲、着水、水中状態の作用説明図である。
【図６】フィンを装着した他の実施態様を示す側面図である。
【図７】同上フィン付き浮きが水面に浮上している水中姿勢を示す側面図である。
【図８】更に他の実施態様を示すベルト付きフィンを巻回した浮きの底面図である。
【図９】同上ベルト付きフィンの正面図である。
【図１０】同上ベルト付きフィンの背面図である。
【図１１】同上ベルト付きフィンの要部拡大底面図である。
【図１２】同上ベルト付きフィンの要部拡大側面図である。
【図１３】同上ベルト付きフィンをカゴ部に巻回した浮きの側面図である。
【図１４】同上ベルト付きフィンをカゴ部に巻回した浮きの側面図である。
【図１５】第１実施態様の浮き視認用化学発光体取り付けを示す説明図である。
【図１６】第２実施態様の浮き視認用化学発光体取り付けを示す説明図である。
【図１７】第３実施態様の浮き視認用化学発光体取り付けを示す説明図である。
【図１８】第４実施態様の浮き視認用化学発光体取り付けを示す説明図である。
【符号の説明】
【００４４】
Ｍ   釣り用浮き
１   浮き本体
２   縦孔
２A  縦孔２の上部小径口
２B  縦孔２の下部大径口
２C  縦孔２Aと縦孔２Bの段付き部
３   水流バランス横孔
H    喫水線
イ   上部水貯留体積
ロ   下部水貯留体積
４   餌止め具
５   鈎掛け
６   カゴ留め具
R    浮き本体下部の環状部
７   カゴ部
８   首振り自在の取っ手
９   取っ手リング
１０   撚り戻し具
１１   道糸
１２   バランス羽根
１３   ゴム製バランス羽根取り付けベルト
２０   浮き視認用化学発光体
２１   中空チューブ
２１A  中空チューブの上部孔
F    浮き視認用化学発光体取り付けフォルダー
２３   U字状ステンレス鋼線
３０   浮き視認用化学発光体取り付けフォルダー
３１   中空チューブ
３１A  中空チューブ下部円筒部
３２   中空チューブ下端孔
３３   首振り自在フック
３４   ３３フックの下端係止部
T    釣り竿
３５   釣り鈎
３６  浮き視認用化学発光体フォルダー
３７  スプリング
３８  係合部留め部
【図１】
2005198577.tif 000003
【図２】
2005198577.tif 000004
【図３】
2005198577.tif 000005
【図４】
2005198577.tif 000006
【図５】
2005198577.tif 000007
【図６】
2005198577.tif 000008
【図７】
2005198577.tif 000009
【図８】
2005198577.tif 000010
【図９】
2005198577.tif 000011
【図１０】
2005198577.tif 000012
【図１１】
2005198577.tif 000013
【図１２】
2005198577.tif 000014
【図１３】
2005198577.tif 000015
【図１４】
2005198577.tif 000016
【図１５】
2005198577.tif 000017
【図１６】
2005198577.tif 000018
【図１７】
2005198577.tif 000019
【図１８】
2005198577.tif 000020